(57)【特許請求の範囲】
【請求項１】
基台と、前記基台から立設した下部支柱と、前記下部支柱の上端より摺動自在に連結された上部支柱と、係止部を両端に具備し、前記下部支柱に前記下部支柱に対し垂直に設けた下部パネル取付金具と、係止部を両端に具備し、前記上部支柱に、前記上部支柱に対し垂直に設けた上部パネル取付金具と、係止部を両端に具備し、前記上部支柱に、前記上部支柱に対し垂直に設けた表示装置取付金具と、前記下部パネル取付金具に前記下部パネル取付金具の係止部で固定される下部パネルと、前記上部パネル取付金具に前記上部パネル取付金具の係止部で固定される上部パネルと、前記表示装置取付金具に前記表示装置取付金具の係止部で固定される薄型表示装置とで構成した情報表示装置において、
前記上部パネルの下端を下方に延出し、同延出部が、情報表示装置高さを低く調整した場合は、前記下部パネルの内側に収納され、情報表示装置の高さを高く調整した場合は、下部パネルと上部パネルとの隙間を埋めて連結可能としたことを特徴とする情報表示装置。
【請求項２】
基台と、前記基台から立設した下部支柱と、前記下部支柱の上端より回動自在に連結された上部支柱と、係止部を両端に具備し、前記下部支柱に前記下部支柱に対し垂直に設けた下部パネル取付金具と、係止部を両端に具備し、前記上部支柱に、前記上部支柱に対し垂直に設けた上部パネル取付金具と、係止部を両端に具備し、前記上部支柱に、前記上部支柱に対し垂直に設けた表示装置取付金具と、前記下部パネル取付金具に前記下部パネル取付金具の係止部で固定される下部パネルと、前記上部パネル取付金具に前記上部パネル取付金具の係止部で固定される上部パネルと、前記表示装置取付金具に前記表示装置取付金具の係止部で固定される薄型表示装置とで構成した情報表示装置において、
前記上部パネルの下端を下方に延出し、同延出部が、情報表示装置高さを低く調整した場合は、前記下部パネルの内側に収納され、情報表示装置の高さを高く調整した場合は、下部パネルと上部パネルとの隙間を埋めて連結可能としたことを特徴とする情報表示装置。
【請求項３】
前記下部支柱と前記上部支柱の回動を止める回動防止板を前記両支柱の一側に固定し、前記下部支柱上部の対向する両側面に、前方側を斜め上方に延出して軸孔を有する延出部を設け、裏面に前記回動防止板を固定するネジ孔を設ける一方、前記上部支柱の下端の対向する両側面に、前記軸孔に対応する軸孔を有する延出板を延出し、裏面に前記回動防止板を固定するネジ孔を設け、前記両軸孔に軸を挿通して下部支柱と上部支柱とを回動自在にしたことを特徴とする請求項２記載の情報表示装置。
【請求項４】
前記下部パネルと、前記上部パネルとの間に、高さを高く調整した場合に下部パネル、上部パネル間を連結する補助パネルを設けたことを特徴とする請求項１乃至３記載の情報表示装置。
【請求項５】
前記補助パネル上下両端部を内側に折曲し、同上端折曲部先端をさらにパネル面と平行に折曲して前記上部パネルの折曲部の裏面に挿入される複数の延出部を形成し、同下端折曲部に下部パネルの折曲部の裏面に挿入される複数の延出部を形成したことを特徴とする請求項４記載の情報表示装置。
【発明の詳細な説明】
【０００１】
【発明の属する技術分野】
本発明は、パソコン等の制御部に収集された情報をプラズマディスプレイ等の表示部に表示する大型の情報表示装置に係わり、とくに、運搬を容易にした筐体構造に関する。
【０００２】
【従来の技術】
従来、パソコン等の制御部に収集された情報をプラズマディスプレイ等の表示部に表示する大型の情報表示装置は、図１に示すように、同一筐体内にパソコン等の制御部１およびプラズマディスプレイ等の表示部２を収納した完成品２０として用意されていた。
このため、輸送時においても完成品として運搬されるため、重量が重く、量ばるため、運送費が高くつくばかりか、設置時に人手が多く必要となるという問題があった。
また、設置場所に応じて、高さを変えた完成品を別に用意していたので、設置場所を変更した場合、高さを変えられないという問題があった。
【０００３】
【発明が解決しようとする課題】
本発明は以上述べた問題点を解決し、運搬が容易で、しかも設置場所に応じて高さを変更することのできる情報表示装置を提供することを目的としている。
【０００４】
【課題を解決するための手段】
本発明は上述の課題を解決するため、基台と、同基台の後方に、下部支柱を平行に立設し、同両下部支柱間を、パネル取付部を両側に設けた下部パネル固定金具で水平に連結してなる下部支持体と、前記両下部支柱の上部に連結される支柱の上端を連結して略コ字状に形成した上部支柱に、係止部を両側に設けた表示部固定金具と、上部パネル取付部を両側に設けた上部パネル固定金具とをともに水平に固定してなる上部支持体と、前記パネル取付部に固定される略コ字状の下部パネルと、前記上部パネル取付部に固定される略コ字状の上部パネルとで構成する情報表示装置とした。
【０００５】
前記下部支柱の背面に、壁面取付け用の挿通孔を有する下部壁面固定金具を固定した。
また、前記上部支柱の背面に、壁面取付け用の挿通孔を有する上部壁面固定金具を固定した。
【０００６】
前記下部支柱と前記上部支柱とを回動自在に連結するとともに、その回動を止める回動防止板を同両支柱の一側に、ネジ等で固定するようにした。
【０００７】
前記下部支柱上部の対向する両側面に、前方側を斜め上方に延出して軸孔を有する延出部を設け、裏面に前記回動防止板を固定するネジ孔を設ける一方、前記上部支柱の下端の対向する両側面に、前記軸孔に対応する軸孔を有する延出板を延出し、裏面に前記回動防止板を固定するネジ孔を設け、前記両軸孔に軸を挿通して下部支柱と上部支柱とを回動自在に連結するとともに、その回動を止める回動防止板を前記ネジ孔に、ネジ等を螺着して固定するようにした。
【０００８】
前記下部支柱と前記上部支柱とを、摺動自在に連結し、高さ調整可能とした。
【０００９】
前記下部支柱を筒状体で形成し、その上部一側面に、高さ調整用の調整孔を設ける一方、前記上部支柱の下端に前記下部支柱の筒内に挿入され、一側面に前記調整孔に対応する調整ネジ孔を複数設けた凸状部を突設して前記下部支柱と前記上部支柱とを、摺動自在に連結した。
【００１０】
前記上部パネルの下端を下方に延出し、同延出部が、高さを低く調整した場合は、前記下部パネルの内側に収納され、高さを高く調整した場合は、下部パネルと上部パネルとの隙間を埋めて連結するようにした。
【００１１】
前記下部パネルの上端部と、前記上部パネルの下端部とを内側に折曲し、同両折曲部先端をさらにパネル面と平行に折曲して複数の延出部を、相手側の折曲部の裏面に交互に挿入されるように形成した。
【００１２】
前記下部パネルと、前記上部パネルとの間に、高さを高く調整した場合に下部パネル、上部パネル間を連結する補助パネルを設けた。
【００１３】
前記補助パネル上下両端部を内側に折曲し、同上端折曲部先端をさらにパネル面と平行に折曲して前記上部パネルの折曲部の裏面に挿入される複数の延出部を形成し、同下端折曲部に下部パネルの折曲部の裏面に挿入される複数の延出部を形成した。
【００１４】
前記補助パネルを複数設けた。
【００１５】
前記下部パネル固定金具および上部パネル固定金具を、その両端に別体で形成した板体を固定し、同板体に取付ネジ孔を設けて各パネル取付部を形成するようにした。
【００１６】
前記下部パネル固定金具および上部パネル固定金具を、その両端を折曲し、同両折曲部に取付ネジ孔を設けて各パネル取付部とした。
【００１７】
前記表示部固定金具を、その両端に、別体で形成した板体を固定し、同板体の上部に切欠部を設け、同切欠部の近傍にネジ孔を設けて係止部を形成するようにした。
【００１８】
前記表示部固定金具を、その両端を折曲し、同両折曲部の上部を切欠し、同切欠部の近傍にネジ孔を設けて係止部を形成した。
【００１９】
【発明の実施の形態】
以上のように、本発明の情報表示装置においては、基台と、同基台の後方に、下部支柱を平行に立設し、同両下部支柱間を、パネル取付部を両側に設けた下部パネル固定金具で水平に連結してなる下部支持体と、前記両下部支柱の上部に連結される支柱の上端を連結して略コ字状に形成した上部支柱に、係止部を両側に設けた表示部固定金具と、上部パネル取付部を両側に設けた上部パネル固定金具とをともに水平に固定してなる上部支持体と、前記パネル取付部に固定される略コ字状の下部パネルと、前記上部パネル取付部に固定される略コ字状の上部パネルとで構成したので、基台、下部支持体、上部支持体、下部パネル、上部パネル、基台に載置するパソコン等の制御部、上部支持体に係止固定するプラズマディスプレイ等の表示部等を適宜分割して梱包でき、運搬を容易にしている。
また、前記下部支持体と上部支持体を摺動自在に連結して高さ調整を可能とし、調整位置に応じて生ずる下部パネルと上部パネルとの隙間を補助パネル等により埋めて連結できるようにしている。
【００２０】
【実施例】
以下、図面に基づいて本発明による情報表示装置を詳細に説明する。
図２は本発明による情報表示装置の一実施例を示す一部分解斜視図である。
図において、１はパソコン等の制御部、２はプラズマディスプレイ等の表示部、３は基台、４は下部支持体、５は上部支持体、６は下部パネル、７は上部パネル、８は補助パネルである。
【００２１】
この下部支持体４は、同図に示すように、基台３の後方に２本の下部支柱４１を平行して立設形成している。
なお、前記基台３と前記下部支持体４は一体に形成しても、ネジ止めしてもよい。
そして、この下部支柱４１は筒状体で形成しており、この２本の下部支柱４１の背面には、壁面０にネジ１１等で固定するための挿通孔４２ａを有する下部壁面固定金具４２を溶接等により固定している。
また、この２本の下部支柱４１の前面には、棒状に形成した下部パネル固定金具４３、４４を固定している。
この下部パネル固定金具４３、４４は、その両端に前記下部パネル６または補助パネル８を固定するネジを螺合するネジ孔４３ａ、４４ａを有する板状のパネル取付部４３ｂ、４４ｂを備えている。
この下部支柱４１の上部には、上部支持体５の上部支柱５１と連結する連結部を備えている。
【００２２】
また、上部支持体５は、同図に示すように、上端を連結してコ字状に形成された上部支柱５１の下端に設けた連結部を、前記下部支柱４１の連結部と連結して形成している。
この同上部支柱５１の背面には、壁面０にネジ１１等で固定するための挿通孔５２ａを有する上部壁面固定金具５２を溶接等により固定している。
また、この上部支柱５１の前面には、棒状に形成した上部パネル固定金具５３と、表示部固定金具５４を固定している。
この上部パネル固定金具５３は、その両端に前記上部パネル７を固定するネジを螺合するネジ孔５３ａを有する板状の上部パネル取付部５３ｂを備えている。また、表示部固定金具５４は、前記表示部２を係止して固定する係止部５４ａを両側に備えている。
【００２３】
図３は、前記下部支柱４１と上部支柱５１を連結する連結部の一実施例を示す要部断面図である。
図において、４１ａは前記下部支柱４１の対向する両側面の上端を斜め前方側に延出して形成した延出部である。
また、５１ａは前記上部支柱５１の対向する両側面の上端を斜め前方側に延出して形成した延出部である。
両延出部４１ａ、５１ａにはそれぞれ、軸孔４１ｂ、５１ｂを有し、同軸孔４１ｂ、５１ｂに軸９を挿通して、下部支柱４１と上部支柱５１を回動自在に連結している。
また、４１ｃ、５１ｃは下部支柱４１と上部支柱５１の背面にそれぞれ形成したネジ孔である。
また、４５は前記下部支柱４１と上部支柱５１の回動を止めるための回動防止板で、平板に前記ネジ孔４１ｃ、５１ｃにそれぞれ対応する挿通孔４５ａ、４５ｂを備えている。
この回動防止板４５は、設置時にネジ１０を挿通孔４５ａ、４５ｂからネジ孔４１ｃ、５１ｃに螺着することにより、前記下部支柱４１と上部支柱５１の回動を止めるようにしている。
【００２４】
図４は、前記下部支柱４１と上部支柱５１を連結する連結部の他の実施例を示す要部断面図である。
図において、４１ｄは下部支柱４１の上部側面に形成した挿通孔である。
また、５１ｄは、前記上部支柱５１の下端に設けた凸状部で、前記下部支柱４１の筒内に摺動自在に挿入される。
この凸状部５１ｄには、前記挿通孔４１ｄに対応し、上下に高さを変えた複数のネジ孔５１ｅを備えている。
【００２５】
図５は、前記上部パネル７と下部パネル６の繋ぎ部の一実施例を示す要部断面図である。
図に示すように、上部パネル７の他端を延出した延出部７１を設け、同延出部７１が、高さを低く調整した場合は前記下部パネル６の内側に隠れるようにし、また、高さを高く調整した場合は同延出部７１が、上部パネル７と下部パネル６の間を埋めるようにしている。
【００２６】
図６は、前記上部パネル７と下部パネル６の繋ぎ部の他の実施例を示す要部断面図で、（Ａ）は高さを低く調整した場合、（Ｂ）は高さを高く調整した場合の例である。
図に示すように、上部パネル７の下端部と下部パネル６の上端部をそれぞれ内側に折曲し、さらにその折曲部７ａ、６ａの先端をパネル面と平行にそれぞれ折曲して複数に分割した延出部７ｂ、６ｂを形成している。
図６−（Ａ）に示すように、この延出部７ｂ、６ｂは、互いに相手の折曲部６ａ、７ａの裏面に交互に挿入されるように形成している。
また、補助パネル８の下端部および上端部には前記上部パネル７の下端部および下部パネル６上端部に形成した折曲部７ａ、６ａおよび延出部７ｂ、６ｂに対応する折曲部８ａ、８ｃ、および延出部８ｂ、８ｄを形成している。
図６−（Ｂ）に示すように、この延出部８ｂは前記上部パネル７の折曲部７ａの裏面に、延出部８ｄは前記下部パネル６の折曲部６ａの裏面にそれぞれ挿入され、折曲部８ａの裏面には上部パネル７の延出部７ｂが、折曲部８ｃの裏面には上部パネル７の延出部６ｂがそれぞれ挿入される。
【００２７】
また、図７の断面図に示すように、この補助パネル８を複数設けることにより、複数の高さに対応することができる。
【００２８】
図８は前記下部パネル固定金具４３、４４および上部パネル固定金具５３の他の実施例を示す要部斜視図である。
本実施例の場合、図に示すように、下部支柱４１または上部支柱５１に固定される部分を板状体をコ字状に折曲して強度を強化して形成し、その左右両端を前方に折曲してそれぞれパネル取付部４３ｂ、４４ｂ、上部パネル取付部５３ｂを形成し、同パネル取付部４３ｂ、４４ｂ、上部パネル取付部５３ｂにそれぞれネジ孔４３ａ、４４ａ、５３ａを設けるようにしている。
【００２９】
図９は前記表示部固定金具５４の他の実施例を示す要部斜視図である。
本実施例の場合、図に示すように上部支柱５１に固定される部分を板状体をコ字状に折曲して強度を強化して形成し、その左右両端を前方に折曲して折曲部５４ｂを形成している。
この折曲部５４ｂの上部を一部切欠した切欠部５４ｃを設け、前記表示部２を形成するとともに、その近傍に前記表示部２を固定するネジ孔５４ｄを設け、前記係止部５４ａを形成するようにしている。
【００３０】
以上の構成において、つぎにその組み立て手順を説明するが、その前に、まず、輸送時の梱包について、説明する。
梱包状態は図示しないが、上述したように、支持体を下部支持体と上部支持体とに分割、または回動して折り畳みできるように形成したので、各部を分割してコンパクトに梱包できることを記しておく。
さて、その組み立て手順を説明する。
まず、基台３に下部支柱４１を平行して立設し、ネジ１０で固定することにより、下部支持体４を基台３に固定する。
つぎに、図３の実施例の場合は、上部支持体５を回動して起こし、背面に回動防止板４５をねじ１０を螺着して固定する。
図４の実施例の場合は、上部支柱５１の下端に設けた上部連結部を構成する凸状部５１ｄを下部支柱４１の筒内に摺動自在に挿入する。
つぎに、設置場所に合わせて高さ調整を行うが、例えば、椅子に座って見るような場所では高さを低くするため、図４に示す上のネジ孔５１ｅに挿通孔４１ｄからネジ１０を螺着する。また、立って見るような場所では高さを高く調整するため、下のネジ孔５１ｅに挿通孔４１ｄからネジ１０を螺着する。
つぎに、挿通孔４２ａおよび挿通孔５２ａよりネジ１１を壁面０に螺合して両支持体４、５を壁に固定する。
【００３１】
つぎに、パソコン等の制御部１を基台３に固定し、表示部２を表示部固定金具５４に係止してネジ１０で固定し、必要な配線を施し、動作の確認を行う。
【００３２】
動作確認が完了後、下部パネル６、高さに応じて補助パネル８および上部パネル７をその延出部が交互に折曲部の裏面に挿入されるように繋ぎ合わせ、ネジ１０でパネル取付部４３ｂ、４４ｂ、上部パネル取付部５３ｂのネジ孔４３ａ、４４ａ、５３ａに螺着して固定する。
【００３３】
なお、本実施例では、下部支持体４と上部支持体５を回動自在に連結するか摺動自在に連結したが、例えば、下部支持体４または上部支持体５に図３に示すような回動部を形成し、図４に示すような摺動部で下部支持体４と上部支持体５を連結するようにしてもよいことは、記すまでもなく理解できよう。
【００３４】
【発明の効果】
以上説明したように、本発明による情報表示装置によれば、基台と、同基台の後方に、下部支柱を平行に立設し、同両下部支柱間を、パネル取付部を両側に設けた下部パネル固定金具で水平に連結してなる下部支持体と、前記両下部支柱の上部に連結される支柱の上端を連結して略コ字状に形成した上部支柱に、係止部を両側に設けた表示部固定金具と、上部パネル取付部を両側に設けた上部パネル固定金具とをともに水平に固定してなる上部支持体と、前記パネル取付部に固定される略コ字状の下部パネルと、前記上部パネル取付部に固定される略コ字状の上部パネルとで構成したので、基台、下部支持体、上部支持体、下部パネル、上部パネル、基台に載置するパソコン等の制御部、上部支持体に係止固定するプラズマディスプレイ等の表示部等を適宜分割して梱包でき、運搬を容易にしている。
また、前記下部支持体と上部支持体を摺動自在に連結して高さ調整を可能とし、調整位置に応じて生ずる下部パネルと上部パネルとの隙間を補助パネル等により埋めて連結できるようにしているので、運搬が容易で、しかも設置場所に応じて高さを変更することのできる情報表示装置を提供することができる。
【図面の簡単な説明】
【図１】従来および本発明の情報表示装置の概略図である。
【図２】本発明による情報表示装置の一実施例を示す一部分解斜視図である。
【図３】本発明による情報表示装置の下部支柱と上部支柱を連結する連結部の一実施例を示す要部断面図である。
【図４】本発明による情報表示装置の下部支柱と上部支柱を連結する連結部の他の実施例を示す要部断面図である。
【図５】本発明による情報表示装置の上部パネルと下部パネルの繋ぎ部の一実施例を示す要部断面図である。
【図６】本発明による情報表示装置の上部パネルと下部パネルの繋ぎ部の他の実施例を示す要部断面図で、（Ａ）は高さを低く調整した場合、（Ｂ）は高さを高く調整した場合の例を示す。
【図７】本発明による情報表示装置の上部パネルと下部パネルの繋ぎ部の他の実施例を示す断面図である。
【図８】本発明による情報表示装置の下部パネル固定金具および上部パネル固定金具の他の実施例を示す要部斜視図である。
【図９】本発明による情報表示装置の表示部固定金具の他の実施例を示す要部斜視図である。
【符号の説明】
０  壁面
１  制御部
２  表示部
３  基台
４  下部支持体
４１  下部支柱
４１ａ  延出部
４１ｂ  軸孔
４１ｃ  ネジ孔
４１ｄ  挿通孔
４２  下部壁面固定金具
４２ａ  挿通孔
４３、４４  下部パネル固定金具
４３ａ、４４ａ  ネジ孔
４３ｂ、４４ｂ  パネル取付部
４５  回動防止板
４５ａ、４５ｂ  挿通孔
５  上部支持体
５１  上部支柱
５１ａ  延出部
５１ｂ  軸孔
５１ｃ  ネジ孔
５１ｄ  凸状部
５１ｅ  ネジ孔
５２  上部壁面固定金具
５２ａ  挿通孔
５３  上部パネル固定金具
５３ａ  ネジ孔
５３ｂ  上部パネル取付部
５４  表示部固定金具
５４ａ  係止部
５４ｂ  折曲部
５４ｃ  切欠部
５４ｄ  ネジ孔
６  下部パネル
６ａ  折曲部
６ｂ  延出部
７  上部パネル
７ａ  折曲部
７ｂ  延出部
７１  延出部
８  補助パネル
８ａ、８ｃ  折曲部
８ｂ、８ｄ  延出部
９  軸
１０、１１  ネジ
【図１】
0003704907.tif 000002
【図２】
0003704907.tif 000003
【図３】
0003704907.tif 000004
【図４】
0003704907.tif 000005
【図５】
0003704907.tif 000006
【図６】
0003704907.tif 000007
【図７】
0003704907.tif 000008
【図８】
0003704907.tif 000009
【図９】
0003704907.tif 000010